(57)【要約】【課題】  耐衝撃性に優れ、また蓋を開けたりケースから取り出すことなく使用でき、しかも製作コストを抑えて安価で提供できる保護カバーを提供すること。【解決手段】  内部に収納したデジタルオーディオプレーヤー等の電子機器に外部から加わる衝撃を、素材が保有する耐衝撃性で以て緩衝し、これにより前記電子機器を保護するためのカバーであって、伸縮性と非透水性を併せ持ち、内部を前記電子機器の収納空間とすべく両端が開口した筒状を呈し、押出成型により製造されていることから長手方向と直交した断面が全長にわたって同一形状であり、また透明性あるいは半透明性を具備していることにより内部に収納した電子機器における表示を外側から目視可能であり、かつ内面（１４）に潤滑剤が塗布されて摩擦抵抗が軽減されていることから電子機器の着脱が容易である電子機器用の保護カバー（１０）。【選択図】  図１
2006295089.tif 000002
【特許請求の範囲】
【請求項１】
内部に収納したデジタルオーディオプレーヤー等の携帯電子機器に外部から加わる衝撃に対し、素材が保有する耐衝撃性で以て緩衝して前記携帯電子機器を保護するための保護カバーであって、
伸縮性と非透水性を併せ持ち、内部を前記携帯電子機器の収納空間とすべく両端が開口した筒状を呈し、長手方向と直交した断面が全長にわたって同一形状であることを特徴とする携帯電子機器用の保護カバー。
【請求項２】
前記携帯電子機器における外表面に操作ボタンや液晶画面などの表示部が装備されている場合は、当該表示部が目視可能となるように少なくとも一部が透明性あるいは半透明性を具備していることを特徴とする請求項１に記載の携帯電子機器用の保護カバー。
【請求項３】
内面に潤滑剤が塗布されてなることを特徴とする請求項１または２に記載の携帯電子機器用の保護カバー。
【請求項４】
押出加工により成型されてなることを特徴とする請求項１〜３のいずれか１項に記載の携帯電子機器用の保護カバー。
【請求項５】
外側表面に、長手方向に延びる線または帯が付与され、これによりデザイン上の特長が付与されてなることを特徴とする請求項１〜４のいずれか１項に記載の携帯電子機器用の保護カバー。
【発明の詳細な説明】
【技術分野】
【０００１】  本発明は、携帯電子機器用の保護カバー（以下、単に「保護カバー」ともいう）に関し、詳しくはポータブルオーディオプレーヤー（メモリーオーディオを含む）や携帯情報端末（ＰＤＡ：Ｐｅｒｓｏｎａｌ  Ｄｉｇｉｔａｌ  Ａｓｓｉｓｔａｎｔ）などの携帯電子機器（以下、単に「電子機器」または「機器」ともいう）の表面に擦り傷が付かないように、また落下時の衝撃を緩和（緩衝）して当該電子機器を保護することのできる着脱自在な保護カバーに関する。
【背景技術】
【０００２】  最近では、ポータブルＣＤプレーヤーやＭＤプレーヤーに加え、ｉＰＯＤ（登録商標：Ａｐｐｌｅ  Ｃｏｍｐｕｔｅｒ，Ｉｎｃ．）に代表されるメモリーオーディオを持って好きな音楽を屋外で楽しむ人が多くなった。特に、メモリーオーディオは、その最大の特徴として、コンパクトで大量の音楽情報・画像情報などを記録でき、これに加え、ＣＤやＭＤと違って音飛びが少ないので、今後ますます普及されると察する。【０００３】  このような携帯電子機器は、精密機器であるが故、落下時の衝撃に対しては、これを緩和（緩衝）し、また雨水に対してはこれを防御して、当該機器に対するダメージを最小限に抑える必要がある。【０００４】  従来より、電子機器を収納して保護するためのカバーが知られているが、このようなカバーにあっては、当該電子機器を全面から覆って包囲する過保護的なカバーであった（特許文献１〜２参照）。
【特許文献１】特開２００３−５８２７７号公報
【特許文献２】実用新案登録第３０８９９６９号公報
【発明の開示】
【発明が解決しようとする課題】
【０００５】  上記した保護カバーにより、落下時の衝撃が吸収されたり、雨水の浸入を防いだりすることができるものの、前述したようにこのような保護カバーは、電子機器を全面から覆って包囲する形状である。そのため、製造工程が繁雑で手間と時間が掛かり、製作コスト高を招いた。【０００６】  また、全面にわたって包囲されていることから、使用時には蓋を開けたり、ケースから取り出す必要があり、この際に当該電子機器を落下させてしまうといったことも多く、使用者は煩わしい想いをしていた。【０００７】    ［発明の目的］
本発明は上記の実情に鑑みてなされたものであり、その目的は、従来の保護カバーにおける耐衝撃性を損なうことなく、また蓋を開けたりケースから取り出すことなく使用でき、しかも製作コストを抑えて安価で提供できる保護カバーを提供するところにある。
【課題を解決するための手段】
【０００８】  請求項１記載の保護カバーは、内部に収納したデジタルオーディオプレーヤー等の携帯電子機器に外部から加わる衝撃に対し、素材が保有する耐衝撃性で以て緩衝して前記携帯電子機器を保護するための保護カバーであって、伸縮性と非透水性を併せ持ち、内部を前記携帯電子機器の収納空間とすべく両端が開口した筒状を呈し、長手方向と直交した断面が全長にわたって同一形状であることを特徴とする。【０００９】  請求項２記載保護カバーは、請求項１記載の保護カバーにおいて、前記携帯電子機器における外表面に操作ボタンや液晶画面などの表示部が装備されている場合は、当該表示部が目視可能となるように少なくとも一部が透明性あるいは半透明性を具備していることを特徴とする。【００１０】  請求項３記載の保護カバーは、請求項１または２記載の保護カバーにおいて、内面に潤滑剤が塗布されてなることを特徴とする。【００１１】  請求項４記載保護カバーは、請求項１〜３のいずれか１項に記載の保護カバーにおいて、押出加工により成型されてなることを特徴とする。【００１２】  請求項５記載の保護カバーは、請求項１〜４のいずれか１項に記載の保護カバーにおいて、外側表面に、長手方向に延びる線または帯が付与され、これによりデザイン上の特長が付与されてなることを特徴とする。
【発明の効果】
【００１３】  請求項１に記載の保護カバーは、両端が開口した筒状を呈していることから、押出成型加工が可能となり、製作コストを抑えて製品を安価に提供することができる。両端が開口してることから、当該開口部分からイヤホンやリモコンスイッチを出した状態で電子機器を保護カバー内に収納することができ、使用時において蓋を開けて取り出すといった煩わしさはない。【００１４】  また保護カバーは伸縮性を備えているので、収納しようとする電子機器の寸法に対し、ほぼ同一の寸法か、あるいは少し小さめの寸法で製作しても、内部に電子機器を収納した際の保護カバーは、その収縮力が当該電子機器に対して働くことにより、該電子機器を外側からしっかりと保持し収納することができるので滑り落ちるおそれはない。【００１５】  さらに、非透水性を備えているので、使用者の汗や雨水が電子機器に浸入するといった心配もない。【００１６】  請求項２に記載の保護カバーは、透明性あるいは半透明性を具備しているので、前記電子機器における外表面に操作ボタンや液晶画面などの表示部が装備されている場合でも、当該表示部が目視可能となる。【００１７】  なお、透明部分または半透明部分は、保護カバーの全面であってもよいし、前記表示部のみでもよいし、当該表示部を含む比較的広い領域であっても構わない。【００１８】  請求項３に記載の保護カバーは、内面に潤滑剤が付与されているので、保護カバーの内面と収納しようとする電子機器の外面との摩擦抵抗が小さくなり、該電子機器の着脱が容易となる。【００１９】  請求項４に記載の保護カバーは、押出加工により成型されている。これにより、経済的不利益を招かず製作コストを抑えられ、ひいては製品を比較的安価に提供することができる。すなわち、押出加工により長尺状の筒状成型体を製造しておきさえすれば、あとは、収納しようとする各電子機器製品に見合った長さに裁断（切断）するだけでよい。【００２０】  また、押出成形を採用することにより、請求項５に記載の保護カバーのように、外側表面に、異なる色であしらった長手方向に延びる線や帯を容易に付与することができ、これによりデザイン上の特長を与えることができ、製品価値も高まる。
【発明を実施するための最良の形態】
【００２１】電子機器
本発明でいう電子機器とは、メモリーオーディオ、ＭＤプレーヤー、ＣＤプレーヤー、ＦＭチューナーなどデジタルオーディオプレーヤーが主であり、その他の例としてＰＤＡ、ＩＣレコーダーなどが挙げられる。【００２２】保護カバーの素材
本発明における保護カバーの素材としては、非透水性であり、外部からの衝撃を緩和し（耐衝撃性を有し）、かつ軟質であること故に伸縮性を保有しているというものであればどのようなものであっても構わない。具体的には、ポリウレタン系エラストマー、軟質塩化ビニル樹脂、エチレン系エラストマー、シリコン樹脂、スチレン・ブタジエンブロックコポリマーなど、従来公知の素材を使用することができる。なかでも、内部に挿嵌した電子機器の各表示が外側から認識できるように（目視できるように）、透明あるいは半透明の素材を選択することが好ましい。【００２３】  また、エコロジーな環境に優しい商品を提供するという面から、生分解性プラスチック（例えば、ポリ乳酸）の使用も可能である。【００２４】潤滑剤
保護カバーの内面に潤滑剤を付与し、該保護カバーの内面と収納しようとする電子機器の外面との摩擦抵抗を小さくするような表面処理を施しておくことが、電子機器の着脱が容易となるという点で好ましい。【００２５】  潤滑剤としては、例えば、二硫化モリブデン（ＭｏＳ２）やグラファイト、四フッ化エチレン樹脂（ＰＴＦＥ）粉、二硫化タングステン、フッ化黒鉛、窒化ホウ素などの粉末（これら固体潤滑剤をエポキシ樹脂やポリイミドなどの樹脂材料と結合させて得た複合被膜としての使用も可能）、など従来公知のものが挙げられるが、これによって限定されるものではない。【００２６】成型手段
本発明の保護カバーの成型方法としては特に限定はないが、とりわけ押出加工により成型することが、経済的不利益を招かず製作コストを抑えられるという点で好ましい。すなわち、押出加工により長尺状の筒状成型体を製造しておきさえすれば、あとは、収納しようとする各電子機器製品に見合った長さに裁断（切断）するだけでよい。このように押出加工によれば、各製品ごとに成型加工を行う必要はないので、製作コストを低く抑えられ、ひいては比較的安い値段で製品を提供することができる。【００２７】  また、押出成形によれば、保護カバーの外側表面に、異なる色であしらった長手方向に延びる線や帯を容易に付与することができ、これによりデザイン上の特長を与えることができ、製品価値も高まるので好都合である。
【実施例】
【００２８】  以下、本発明の一実施形態を図面に基づいて説明するが、本発明はこれによって限定されるものではない。【００２９】  図１は、本発明に係る保護カバー（１０）を示す全体斜視図である。図に示すように、保護カバー（１０）は、デジタルオーディオプレーヤー等の携帯電子機器を内部に収納すべく収納空間（１０ａ）を備え、正面視矩形の筒型形状（長手方向と直交した断面が全長にわたって同一形状）をなし、両端は開口している。【００３０】  この保護カバー（１０）は、押出加工により成型され、長尺状の成型体を所定間隔ごとに裁断されたものである。【００３１】  保護カバー（１０）は伸縮性を備え、かつ全体が半透明な樹脂、例えばポリウレタン系エラストマー（非透水性）からなり、図に示すように、一つの側面において長手方向に延びるポイントライン（１２）が延び、デザイン上の特長を出している。また、保護カバー（１０）の内面（１４）には潤滑剤が塗布されている。【００３２】  保護カバー（１０）における内部の機器収納空間の大きさは、収納しようとする携帯電子機器の外寸とほぼ同じかあるいは僅かに小さく、当該機器を収納する際は、伸縮性を備えた保護カバー（１０）の開口を手で持って少し外側に押し拡げ、そして機器を挿嵌し、最適な位置に収納する。前述したように、保護カバー（１０）の内面（１４）には潤滑剤の塗布処理が施されているので、この挿嵌作業は容易に行える。そして収納後は、保護カバー（１０）の収縮力が電子機器に対して働くことにより、該電子機器は保護カバー（１０）の内部にしっかりと保持される。【００３３】  上記の保護カバー（１０）に携帯電子機器を収納しておくことにより、開口した一方の端部からイヤホンやリモコンスイッチを出した状態で該機器を保護カバー（１０）の内部に収納することができ、使用時において蓋を開けて取り出すといった煩わしさはない。また、電子機器は外表面の殆どが保護カバー（１０）により覆われているので、当該電子機器にキズが加わったり、落下時に衝撃を受けて損傷するのを防ぐことができる。【００３４】  なお、保護カバー（１０）における内部の収納空間の形状は、収納しようとする携帯電子機器の形状に見合ったものとすることが好ましく、例えば携帯電子機器が断面楕円形であれば、図２に示すような形状とすることができる。
【図面の簡単な説明】
【００３５】
【図１】本発明の保護カバーの一実施例を示した斜視図。
【図２】他の実施例における保護カバーの形状を示した端面図。
【符号の説明】
【００３６】１０……保護カバー
１０ａ……収納空間
１２……ポイントライン
１４……（保護カバーの）内面
【図１】
2006295089.tif 000003
【図２】
2006295089.tif 000004